(57)【要約】  本発明のプローブは、信号ケーブルの信号導体に接続されて用いられると共に、相手方レセプタクルの信号導体に当接自在なプローブであって、信号ケーブルの信号導体に電気的に接続される、筒状の導体であるバレル（１３）と、基端（１１Ｒ）がバレル（１３）の内部に位置し、先端（１１Ｔ）がバレル（１３）から突出して相手方レセプタクルに接する、導体であるプランジャ（１１）と、バレル（１３）内に収められて、プランジャ（１１）の基端（１１Ｒ）をプランジャ（１１）の先端（１１Ｔ）方向へ付勢するコイルスプリング（１２）と、を備え、バレル（１３）は、プランジャ（１１）の基端（１１Ｒ）よりもバレル（１３）の先端（１３Ｔ）寄りの位置でプランジャ（１１）に接する接触部（ＣＰ１，ＣＰ２）を有する。
2020100859.tif 000002
【特許請求の範囲】
【請求項１】
信号ケーブルの信号導体に接続されて用いられると共に、相手方レセプタクルの信号導体に当接自在なプローブであって、
前記信号ケーブルの信号導体に電気的に接続される、筒状の導体であるバレルと、
基端及び先端を有し、前記基端が前記バレルの内部に位置し、前記先端が前記バレルから突出して前記相手方レセプタクルに接する、導体であるプランジャと、
前記バレル内に収められて、前記プランジャの基端を前記プランジャの先端方向へ付勢する弾性体と、
を備え、
前記バレルは前記プランジャの基端よりも前記バレルの先端寄りの位置で前記プランジャに接する接触部を有する、
プローブ。
【請求項２】
前記プランジャは、前記バレルの内部に収まる、径の太い頭部と、前記バレルの先端から突出する、径の細い軸部と、を有し、
前記プランジャの前記軸部に前記バレルの接触部が接触する、
請求項１に記載のプローブ。
【請求項３】
前記バレルは、前記プランジャの頭部と、前記バレルの接触部との間に、前記プランジャに接触しない、非接触部を有する、請求項２に記載のプローブ。
【請求項４】
前記バレルの接触部は、前記バレルの先端又は当該先端の近傍に位置する、
請求項１から３のいずれかに記載のプローブ。
【請求項５】
前記バレルの接触部は、当該バレルの内径が狭められた部分である、
請求項１から４のいずれかに記載のプローブ。
【請求項６】
前記バレルの先端部は板ばね状である、
請求項５に記載のプローブ。
【請求項７】
前記バレルの先端の近傍と前記プランジャとの間に、前記プランジャの軸方向の移動を阻止せず、かつ電気的に導通させるボール状又はロール状の導電部材を備え、
前記バレルの接触部は前記導電部材を介して前記プランジャに接触する、
請求項１から４のいずれかに記載のプローブ。
【請求項８】
前記プランジャの基端の面は前記プランジャの中心軸に対する直交面から傾斜している、
請求項１から７のいずれかに記載のプローブ。
【請求項９】
前記プランジャは、前記バレルの接触部よりも前記プランジャの基端寄りの位置に、前記バレルと接触する他の接触部を有する、
請求項１から８のいずれかに記載のプローブ。
【請求項１０】
前記信号ケーブルは、当該信号ケーブルの信号導体である内導体と、当該内導体を囲む外導体とを有する同軸ケーブルであり、
前記相手方レセプタクルは、当該相手方レセプタクルの信号導体と外導体とを有する同軸レセプタクルであり、
前記同軸ケーブルの外導体が接続される第１外導体接続部と、前記相手方レセプタクルの外導体が接続される第２外導体接続部とを有し、前記バレル、前記プランジャ及び前記弾性体の外部を囲む導体ハウジングを備える、
請求項１から９のいずれかに記載のプローブ。
【発明の詳細な説明】
【技術分野】
【０００１】
本発明は、電気回路・電子回路の検査用のプローブに関し、より特定的には、被検査体である回路基板に設けられた相手方レセプタクルに接続されるプローブに関する。
【背景技術】
【０００２】
従来の高周波同軸プローブやスプリングコネクタ（ポゴピン）では、中心導体の摺動時に、摺動部と保持部が非接触状態になることがあり、そのことで抵抗が増大したり、不要共振が発生したりする問題があった。この問題の対策として、特許文献１、特許文献２には、コイルスプリングに付勢される端面を傾斜させたプランジャを備える構造が示されている。このような構造により、プランジャの端面がコイルスプリングで押圧されることで、チューブ（孔）の内面に対するプランジャの接触圧が高まる。つまり、プランジャの摺動時でもプランジャはチューブ（孔）の内部側面に常に接触する状態となる。
【先行技術文献】
【特許文献】
【０００３】
【特許文献１】特開２００１−３０７８１１号公報
【特許文献２】特開２００３−１００３７４号公報
【発明の概要】
【発明が解決しようとする課題】
【０００４】
特許文献１、特許文献２に示されるように、コイルスプリングが押圧するプランジャの端面を傾斜させる構造は、扱う信号の周波数帯が比較的低い場合には効果的であったが、信号の周波数帯が例えばマイクロ波帯やミリ波帯のような高周波数帯になると、不要共振が観測される場合があることを発明者等は見出した。【０００５】
そこで、本発明の目的は、例えばマイクロ波帯やミリ波帯のような高周波数帯においても不要共振の影響を受けないようにしたプローブを提供することにある。
【課題を解決するための手段】
【０００６】
本開示の一例としてのプローブは、
信号ケーブルの信号導体に接続されて用いられると共に、相手方レセプタクルの信号導体に当接自在なプローブであって、
前記信号ケーブルの信号導体に電気的に接続される、筒状の導体であるバレルと、
基端及び先端を有し、前記基端が前記バレルの内部に位置し、前記先端が前記バレルから突出して前記相手方レセプタクルに接する、導体であるプランジャと、
前記バレル内に収められて、前記プランジャの基端を前記プランジャの先端方向へ付勢する弾性体と、
を備え、
前記バレルは前記プランジャの基端よりも前記バレルの先端寄りの位置で前記プランジャに接する接触部を有する。
【発明の効果】
【０００７】
本発明によれば、例えばマイクロ波帯やミリ波帯のような高周波数帯においても不要共振の影響を受け難いプローブが得られる。
【図面の簡単な説明】
【０００８】
【図１】図１は第１の実施形態に係るプローブ１０１の中心軸を通る中央縦断面図である。
【図２】図２は、特に、バレル１３とプランジャ１１との位置関係を示す、プローブ１０１の先端部分の中央縦断面図である。
【図３】図３はバレル１３の先端部の構造を示す正面図である。
【図４】図４（Ａ）は、被検査体である相手方レセプタクル３０１への装着前におけるプローブ１０１の中央縦断面図であり、図４（Ｂ）は、相手方レセプタクル３０１への装着後におけるプローブ１０１の中央縦断面図である。
【図５】図５（Ａ）、図５（Ｂ）は、プランジャ１１及びバレル１３を介して流れる電流の経路を示す図である。
【図６】図６（Ａ）、図６（Ｂ）は、第２の実施形態のプローブのうち、特に、バレル１３の一部、プランジャ１１、コイルスプリング１２の一部及びブッシング２０ｂを示す断面図である。
【図７】図７（Ａ）、図７（Ｂ）は、第３の実施形態に係るプローブのうち、特に、バレル１３の一部、プランジャ１１、コイルスプリング１２の一部及びブッシング２０ｂを示す断面図である。
【図８】図８（Ａ）、図８（Ｂ）は、第３の実施形態に係る別のプローブのうち、特に、バレル１３の一部、プランジャ１１、コイルスプリング１２の一部及びブッシング２０ｂを示す断面図である。
【図９】図９（Ａ）、図９（Ｂ）は、第３の実施形態に係る更に別のプローブのうち、特に、バレル１３の一部、プランジャ１１、コイルスプリング１２の一部及びブッシング２０ｂを示す断面図である。
【図１０】図１０（Ａ）、図１０（Ｂ）は、第４の実施形態に係るプローブのうち、特に、バレル１３の一部、プランジャ１１、コイルスプリング１２の一部及びブッシング２０ｂを示す断面図である。
【図１１】図１１（Ａ）、図１１（Ｂ）は、比較例のプローブにおける、プランジャ１１及びバレル１３を介して流れる電流の経路を示す図であり、図１１（Ｂ）は図１１（Ａ）の部分拡大図である。
【発明を実施するための形態】
【０００９】
まず、本発明に係るプローブにおける幾つかの態様について記載する。
【００１０】
本発明に係る第１の態様のプローブは、信号ケーブルの信号導体に接続されて用いられると共に、相手方レセプタクルの信号導体に当接自在なプローブであって、
信号ケーブルの信号導体に電気的に接続される、筒状の導体であるバレルと、基端が前記バレルの内部に位置し、先端が前記バレルから突出して前記相手方レセプタクルに接する、導体であるプランジャと、前記バレル内に収められて、前記プランジャの基端を前記プランジャの先端方向へ付勢する弾性体と、を備え、前記バレルは前記プランジャの基端よりも前記バレルの先端寄りの位置で前記プランジャに（直接的又は間接的に）接する接触部を有することを特徴とする。
【００１１】
上記構造によれば、不要共振の発生原因となる信号経路が短縮化され、共振周波数が使用周波数帯域外となって、不要共振の影響を受け難くなる。
【００１２】
本発明に係る第２の態様のプローブでは、前記プランジャは、前記バレルの内部に収まる、径の太い頭部と、前記バレルの先端から突出する、径の細い軸部とを有し、
前記プランジャの前記軸部に前記バレルの接触部が接触する。この構造によれば、プランジャに対する弾性体の当接面を広くでき、かつバレルによるプランジャの摺動性が維持される。
【００１３】
本発明に係る第３の態様のプローブでは、前記バレルの接触部は、前記バレルの先端又は当該先端の近傍に位置する。この構造によれば、接触部からバレルの先端までの信号経路が短くなり、複雑な信号経路が無くなるので、不要共振が効果的に抑制される。
【００１４】
本発明に係る第４の態様のプローブでは、前記バレルの接触部は、当該バレルの内径が狭められた部分である。この構造によれば、バレルの接触部がプランジャに対して安定的に接触する。
【００１５】
本発明に係る第５の態様のプローブでは、前記バレルの先端部は板ばね状である。この構造によれば、プランジャの摺動時のバレルの接触部とプランジャとの接触状態を安定化できる。
【００１６】
本発明に係る第６の態様のプローブでは、前記バレルの先端の近傍と前記プランジャとの間に、前記プランジャの軸方向の移動を阻止せず、かつ電気的に導通させるボール状又はロール状の導電部材を備え、前記バレルの接触部は前記導電部材を介して前記プランジャに接触する。この構造によれば、バレルに対するプランジャの軸方向の移動が容易となり、かつバレルの接触部とプランジャとの接触状態が安定化される。
【００１７】
本発明に係る第７の態様のプローブでは、前記プランジャの基端の面は前記プランジャの中心軸に対する直交面から傾斜している。この構造によれば、プランジャの中心軸をバレルの中心軸から傾ける作用が生じて、バレルの接触部に対するプランジャの接触圧が高まり、プランジャの摺動時でもプランジャはバレルの接触部に常に接触する状態となる。
【００１８】
本発明に係る第８の態様のプローブでは、前記プランジャは、前記バレルの接触部よりも前記プランジャの基端寄りの位置に、前記バレルと接触する他の接触部を有する。この構造によれば、バレル内でプランジャがその軸方向に安定的に摺動される。
【００１９】
本発明に係る第９の態様のプローブでは、前記信号ケーブルは、当該信号ケーブルの信号導体である内導体と、当該内導体を囲む外導体とを有する同軸ケーブルであり、前記相手方レセプタクルは、当該相手方レセプタクルの信号導体と外導体とを有する同軸レセプタクルであり、前記同軸ケーブルの外導体が接続される第１外導体接続部と、前記相手方レセプタクルの外導体が接続される第２外導体接続部とを有し、前記バレル、前記プランジャ及び前記弾性体の外部を囲む導体ハウジングを備える。この構造によれば、同軸ケーブルと相手方レセプタクルとを接続するプローブとして用いることができる。
【００２０】
以降、図を参照して幾つかの具体的な例を挙げて、本発明を実施するための複数の形態を示す。各図中には同一箇所に同一符号を付している。要点の説明又は理解の容易性を考慮して、実施形態を説明の便宜上分けて示すが、異なる実施形態で示した構成の部分的な置換又は組み合わせは可能である。第２の実施形態以降では第１の実施形態と共通の事柄についての記述を省略し、異なる点についてのみ説明する。特に、同様の構成による同様の作用効果については実施形態毎には逐次言及しない。
【００２１】
《第１の実施形態》
［プローブの構造］
図１は第１の実施形態に係るプローブ１０１の中心軸を通る中央縦断面図である。このプローブ１０１は、図外の信号ケーブルの信号導体に接続されて用いられると共に、図外の相手方レセプタクルの信号導体に当接自在なプローブである。上記信号ケーブルは、その信号ケーブルの信号導体である内導体と、この内導体を囲む外導体とを有する同軸ケーブルである。また、上記相手方レセプタクルは、後に示すように、その相手方レセプタクルの信号導体と外導体とを有する同軸レセプタクルである。
【００２２】
プローブ１０１は、ソケット１４、バレル１３、プランジャ１１、コイルスプリング１２、ブッシング２０ａ，２０ｂ及び導体ハウジング２５を備える。コイルスプリング１２は本発明に係る「弾性体」に相当する。
【００２３】
導体ハウジング２５は筒状部材であり、上部２５ａ及び下部２５ｂで構成され、上部２５ａに信号ケーブルの外導体が接続され、下部２５ｂに信号相手方レセプタクルの外導体が接続される。導体ハウジング２５の上部２５ａには開口ｈａが設けられていて、下部２５ｂには開口ｈｂが設けられている。導体ハウジング２５は、ばね性が相対的に高い（ヤング率の大きい）例えばベリリウム銅からなる。
【００２４】
導体ハウジング２５の下部２５ｂは先端部２６ａ及び突部２６ｂを含む。先端部２６ａは、下部２５ｂの下側における先端部分であり、後述する相手方レセプタクルの外導体が挿入される。導体ハウジング２５の先端部２６ａは、この先端部２６ａ以外の部分よりも小さな内径を有し、かつ、先端部２６ａの内径が拡縮可能な構造を有する。具体的には、先端部２６ａには、先端部２６ａの先端から軸方向に延在する複数のスリットが形成されている。つまり、複数のスリットによって、先端部２６ａはばね性を有し、先端部２６ａは径方向に拡縮する。また、突部２６ｂは、先端部２６ａの内周面において、先端部２６ａの中心方向へ突出するように形成されている。
【００２５】
ソケット１４は、円筒状部材であり、ソケット１４の上端に開口ｈ３が設けられている。また、ソケット１４の側面には、軸方向に延在するスリットが形成されている。ソケット１４は、ばね性が相対的に高い導電性部材（例えば、ベリリウム銅）からなる。この構造により、信号ケーブルの内導体が上方からソケット１４に挿入された場合に、ソケット１４は、弾性変形して押し広げられて、内導体に圧接する。また、ソケット１４の下端には、雄螺子が形成されている。
【００２６】
プランジャ１１はベリリウム銅製のピンであり、軸部１１ａ及び頭部１１ｂからなる。軸部１１ａは、軸方向に延在する均一な太さを有する棒状部材である。頭部１１ｂは、軸部１１ａの上端に設けられ、軸部１１ａよりも太い直径を有する。
【００２７】
バレル１３は、プランジャ１１が軸方向に一直線に並ぶように、下端においてプランジャ１１を保持すると共に、上端においてソケット１４を螺子構造により保持する。バレル１３は、ばね性が相対的に低い導電性部材（例えば、黄銅）からなる円筒状部材である。バレル１３には、下側において軸部１１ａの直径にほぼ等しくかつ頭部１１ｂの直径よりも小さな開口ｈ１が設けられていて、上端においてコイルスプリング１２の外径及び頭部１１ｂの直径よりも大きな内径を有する開口ｈ２が設けられている。そして、バレル１３の上端に雌螺子が形成されている。
【００２８】
プランジャ１１は、軸部１１ａが開口ｈ１から下側に向かってバレル１３外に突出するように、バレル１３に取り付けられる。つまり、プランジャ１１は、バレル１３の開口ｈ２から挿入される。
【００２９】
コイルスプリング１２は、プランジャ１１をバレル１３に対して下側に付勢する弾性部材である。コイルスプリング１２は、バレル１３の開口ｈ２から挿入されることにより、バレル１３に収容される。これにより、プランジャ１１は、下側から押さえつけられた場合、コイルスプリング１２が縮んで上側に退避する。
【００３０】
ソケット１４は、プランジャ１１及びコイルスプリング１２が取り付けられたバレル１３に対して螺子構造により固定されている。
【００３１】
ブッシング２０ａ，２０ｂは、樹脂等の絶縁体からなる筒状体であり、導体ハウジング２５内に設けられている。ブッシング２０ａはソケット１４及びバレル１３の一部を導体ハウジング２５の上部２５ａに固定する。ブッシング２０ｂは、プランジャ１１の軸部１１ａを軸方向に摺動自在に、導体ハウジング２５の下部２５ｂに保持する。
【００３２】
ブッシング２０ａ，２０ｂは絶縁体により構成されているので、バレル１３及びプランジャ１１は導体ハウジング２５から絶縁されている。
【００３３】
図２は、特に、バレル１３とプランジャ１１との位置関係を示す、プローブ１０１の先端部分の中央縦断面図である。図３はバレル１３の先端部の構造を示す正面図である。バレル１３の先端の開口ｈ１は内径が狭められた部分である。プランジャ１１の頭部１１ｂを取り囲むバレル１３の先端部には４つのスリットＳＬが形成されていて、径方向への変形に対する弾性をもたせている。後に示すように、このバレル１３の先端の内径が狭められた箇所が、プランジャ１１の軸部１１ａと接触する接触部である。
【００３４】
［相手方レセプタクルへのプローブの着脱］
次に、プローブ１０１の、相手方レセプタクルへのプローブの着脱について、図４（Ａ）、図４（Ｂ）を参照して説明する。図４（Ａ）は、被検査体である相手方レセプタクル３０１への装着前におけるプローブ１０１の中央縦断面図であり、図４（Ｂ）は、相手方レセプタクル３０１への装着後におけるプローブ１０１の中央縦断面図である。
【００３５】
まず、相手方レセプタクル３０１について説明する。相手方レセプタクル３０１は、例えば、携帯電話のアンテナと送受信回路との間に設けられるスイッチ付同軸コネクタであり、ケース３０３、外導体３０５、固定端子３０６及び可動端子３０７を備えている。固定端子３０６はアンテナに接続され、可動端子３０７は送受信回路に接続される。
【００３６】
図４（Ａ）に示すように、プローブ１０１が相手方レセプタクル３０１に装着されていない状態で、プランジャ１１の軸部１１ａは、導体ハウジング２５の先端部２６ａから下側に突出している。このとき、相手方レセプタクル３０１では、固定端子３０６と可動端子３０７とが接触しているので、アンテナと送受信回路とが接続されている。
【００３７】
プローブ１０１が相手方レセプタクル３０１に装着されるとき、図４（Ａ）、図４（Ｂ）に示すように、同軸ケーブルを介して測定器が接続されたプランジャ１１の軸部１１ａの先端が上側から下側へとケース３０３の孔３０４に挿入される。これにより、可動端子３０７がプランジャ１１の軸部１１ａにより下側に押される。その結果、固定端子３０６と可動端子３０７とが離れ、プランジャ１１と可動端子３０７とが接続され、送受信回路と測定器とが接続される。
【００３８】
また、図４（Ｂ）に示す状態において、外導体３０５が導体ハウジング２５の先端部２６ａ内に挿入される。挿入される前においては、先端部２６ａの内径は、外導体３０５の外径よりも僅かに小さい。そのため、挿入時及び挿入後には、先端部２６ａは、外導体３０５により僅かに押し広げられる。そして、突部２６ｂが外導体３０５の外周に形成された溝３０５ａに係合し、先端部２６ａが外導体３０５の上面３０５ｂに当接する。これにより、プローブ１０１は、適切な力で相手方レセプタクル３０１に係合する。
【００３９】
上記導体ハウジング２５の先端部２６ａは本発明に係る「第２外導体接続部」に相当する。一方、導体ハウジング２５の上部２５ａの上端に同軸ケーブルの外導体が接続される。この導体ハウジング２５の上部２５ａは本発明に係る「第１外導体接続部」に相当する。このような構造により、プローブ１０１は、同軸ケーブルと相手方レセプタクル３０１とを接続するプローブとして用いることができる。
【００４０】
［プローブの電流経路］
図５（Ａ）、図５（Ｂ）は、プランジャ１１及びバレル１３を介して流れる電流の経路を示す図である。図５（Ａ）は、図４（Ｂ）に示したように、プローブ１０１を相手方レセプタクル３０１に装着した状態でのバレルの接触部を示す図である。図５（Ｂ）は図５（Ａ）の部分拡大図である。
【００４１】
プランジャ１１は、バレル１３の内部に収まる、径の太い頭部１１ｂと、バレル１３の先端１３Ｔから突出する、径の細い軸部１１ａとを有する。また、プランジャ１１は基端１１Ｒと先端１１Ｔとを有し、基端１１Ｒがバレル１３の内部に位置し、先端１１Ｔがバレル１３から突出する。バレル１３は、プランジャ１１の基端１１Ｒよりもバレル１３の先端１３Ｔ寄りの位置でプランジャ１１の軸部１１ａに接する接触部ＣＰ１，ＣＰ２を有する。つまり、プランジャ１１の軸部１１ａにバレル１３の接触部ＣＰ１，ＣＰ２が接触する。さらに、本実施形態においては、接触部ＣＰ１，ＣＰ２はプランジャ１１の頭部１１ｂから離間している。換言すれば、プランジャの頭部１１ｂと接触部ＣＰ１，ＣＰ２との間において、バレル１３には、プランジャ１１（プランジャの軸部１１ａ）に直接接触しない非接触部ＮＣＰを有する。バレル１３の接触部ＣＰ１，ＣＰ２は、バレル１３の内径が狭められた部分である。
【００４２】
本実施形態では、バレル１３の接触部ＣＰ１，ＣＰ２は、バレル１３の先端１３Ｔ又は先端１３Ｔの近傍に位置する。つまり、バレル１３の先端又は先端付近がプランジャ１１の軸部１１ａに接触する。
【００４３】
ここで、比較例のプローブについて、図１１（Ａ）、図１１（Ｂ）を参照して説明する。図１１（Ａ）、図１１（Ｂ）は、比較例のプローブにおける、プランジャ１１及びバレル１３を介して流れる電流の経路を示す図であり、図１１（Ｂ）は図１１（Ａ）の部分拡大図である。この比較例のプローブでは、プランジャ１１は、バレル１３の内部に収まる、径の太い頭部１１ｂと、バレル１３の先端１３Ｔから突出する、径の細い軸部１１ａとを有し、プランジャ１１の頭部１１ｂがバレル１３の内面に接触する。図１１（Ａ）、図１１（Ｂ）に示す接触部ＣＰはその接触位置を示している。
【００４４】
図１１（Ｂ）において、プランジャ１１の軸部１１ａ、頭部１１ｂ及びバレル１３に重ねて示す矢印は電流経路を表している。高周波信号は、内導体と外導体との間に掛かる電界により伝送されるので、内導体であるプランジャの軸部１１ａ及びバレル１３の表面に沿って電流が流れる。
【００４５】
従来のプローブにおいては、プランジャの頭部１１ｂとバレル１３との接触位置を介して、プランジャ１１とバレル１３とに信号電流が流れる。そのため、プランジャ１１の基端１１Ｒからバレル１３の先端１３Ｔまで、長くかつ不要な電流経路が生じる。このような電流経路は不要共振を発生する要因となる。
【００４６】
一方、図５（Ｂ）において、プランジャ１１の軸部１１ａ及びバレル１３に重ねて示す矢印は電流経路を表している。上述のとおり、高周波信号は、内導体と外導体との間に掛かる電界により伝送されるので、内導体であるプランジャの軸部１１ａ及びバレル１３の表面に沿って電流が流れる。本実施形態では、バレル１３は、プランジャ１１の基端１１Ｒよりもバレル１３の先端１３Ｔ寄りの位置で、プランジャ１１の軸部１１ａに接する。そのため、図１１（Ｂ）に示したような、プランジャ１１の基端１１Ｒからバレル１３の先端１３Ｔまでの不要な電流経路が形成されず、不要共振が抑制される。また、不要な電流経路が生じるとしても、その経路が短くなるので、不要共振の周波数が使用周波数帯より高くなって、不要共振が使用周波数で悪影響を与えない。
【００４７】
本実施形態では、プランジャ１１の基端１１Ｒの面はプランジャ１１の中心軸（一点鎖線）に対する直交面から傾斜している。この構造によれば、プランジャ１１の中心軸をバレル１３の中心軸（一点鎖線）から傾ける作用が生じる。図５（Ａ）、図５（Ｂ）に示す断面においては、プランジャ１１に右回転方向の力が生じて、バレル１３の接触部ＣＰ２に対するプランジャ１１の接触圧が高まる。このことにより、プランジャ１１は、摺動時でもバレル１３の接触部ＣＰ２に対して安定的に接触する。
【００４８】
また、本実施形態では、プランジャ１１は、上記右回転方向の力が生じることにより、バレル１３の接触部ＣＰ１，ＣＰ２よりもプランジャ１１の基端１１Ｒ寄りの位置である接触部ＣＰ３で、プランジャ１１はバレル１３と接触する。この接触部ＣＰ３は本発明に係る「他の接触部」に相当する。この構造によれば、プランジャ１１は、断面視で対角位置関係にある接触部ＣＰ２及び接触部ＣＰ３でバレル１３に接触する。したがって、バレル１３内でプランジャ１１が摺動するとき、プランジャ１１はその軸方向に安定的に摺動される。
【００４９】
バレル１３の接触部ＣＰ１はプランジャ１１に常に接触する必要はなく、上記力が生じることにより、プランジャ１１がバレル１３の接触部ＣＰ２，ＣＰ３に接触し、接触部ＣＰ１には接触しない状態があってもよい。
【００５０】
なお、図３に示した例では、４つのスリットＳＬを備える例を示したが、スリットＳＬの数は１つ、２つ、５つ以上であってもよい。
【００５１】
《第２の実施形態》
第２の実施形態では、プランジャ及びバレルの形状が第１の実施形態で示した例とは異なるプローブについて示す。
【００５２】
図６（Ａ）、図６（Ｂ）は、本実施形態のプローブのうち、特に、バレル１３の一部、プランジャ１１、コイルスプリング１２の一部及びブッシング２０ｂを示す断面図である。その他の構造は第１の実施形態で、図１、図４（Ａ）、図４（Ｂ）に示したプローブと同様である。
【００５３】
図６（Ａ）は、図４（Ａ）に示したように、プローブが相手方レセプタクルに装着されていない状態での、各部材の位置関係を示す図であり、図６（Ｂ）は、図４（Ｂ）に示したように、プローブが相手方レセプタクルに装着されている状態での、各部材の位置関係を示す図である。
【００５４】
プランジャ１１は、バレル１３の内部に一部が収まる、径の太い頭部１１ｂと、バレル１３の先端１３Ｔから突出する、径の細い軸部１１ａとを有する。また、プランジャ１１は基端１１Ｒと先端１１Ｔとを有し、基端１１Ｒがバレル１３の内部に位置し、先端１１Ｔがバレル１３から突出する。バレル１３は、プランジャ１１の基端１１Ｒよりもバレル１３の先端１３Ｔ寄りの位置でプランジャ１１の頭部１１ｂに接する接触部ＣＰを有する。つまり、プランジャ１１の頭部１１ｂにバレル１３の接触部ＣＰが接触する。バレル１３の接触部ＣＰは、バレル１３の内径が狭められた部分である。
【００５５】
本実施形態では、バレル１３の接触部ＣＰは、バレル１３の先端１３Ｔ又は先端１３Ｔの近傍に位置する。つまり、バレル１３の先端又は先端付近がプランジャ１１の頭部１１ｂに接触する。
【００５６】
本実施形態においても、図１１（Ｂ）に示したような、プランジャ１１の基端１１Ｒからバレル１３の先端１３Ｔまでの不要な電流経路が形成されず、不要共振が抑制される。
【００５７】
《第３の実施形態》
第３の実施形態では、接触部の形状が、これまでに示した例とは異なるバレルを備えるプローブについて示す。
【００５８】
図７（Ａ）、図７（Ｂ）は、第３の実施形態に係るプローブのうち、特に、バレル１３の一部、プランジャ１１、コイルスプリング１２の一部及びブッシング２０ｂを示す断面図である。図８（Ａ）、図８（Ｂ）は、第３の実施形態に係る別のプローブのうち、特に、バレル１３の一部、プランジャ１１、コイルスプリング１２の一部及びブッシング２０ｂを示す断面図である。図９（Ａ）、図９（Ｂ）は、第３の実施形態に係る更に別のプローブのうち、特に、バレル１３の一部、プランジャ１１、コイルスプリング１２の一部及びブッシング２０ｂを示す断面図である。図７（Ａ）、図７（Ｂ）、図８（Ａ）、図８（Ｂ）、図９（Ａ）、図９（Ｂ）に示した部分以外の構造は第１の実施形態で、図１、図４（Ａ）、図４（Ｂ）に示したプローブと同様である。
【００５９】
図７（Ａ）、図８（Ａ）、図９（Ａ）は、図４（Ａ）に示したように、プローブが相手方レセプタクルに装着されていない状態での、各部材の位置関係を示す図であり、図７（Ｂ）、図８（Ｂ）、図９（Ｂ）は、図４（Ｂ）に示したように、プローブが相手方レセプタクルに装着されている状態での、各部材の位置関係を示す図である。
【００６０】
図７（Ａ）、図７（Ｂ）、図８（Ａ）、図８（Ｂ）、図９（Ａ）、図９（Ｂ）に示すいずれのプローブにおいても、プランジャ１１は、バレル１３の内部に収まる、径の太い頭部１１ｂと、バレル１３の先端１３Ｔから突出する、径の細い軸部１１ａとを有する。また、プランジャ１１は基端１１Ｒと先端１１Ｔとを有し、基端１１Ｒがバレル１３の内部に位置し、先端１１Ｔがバレル１３から突出する。バレル１３は、プランジャ１１の基端１１Ｒよりもバレル１３の先端１３Ｔ寄りの位置でプランジャ１１の軸部１１ａに接する接触部ＣＰを有する。つまり、プランジャ１１の軸部１１ａにバレル１３の接触部ＣＰが接触する。図７（Ａ）、図７（Ｂ）、図９（Ａ）、図９（Ｂ）に示す例では、バレル１３の接触部ＣＰは、先端１３Ｔが最も狭められた部分である。また、図８（Ａ）、図８（Ｂ）に示す例では、バレル１３の接触部ＣＰは、先端１３Ｔより僅かに手前の位置が最も狭められた部分である。これらバレル１３の先端部（先端１３Ｔを含む先端近傍部）は板ばね状の部分である。
【００６１】
本実施形態においても、図１１（Ｂ）に示したような、プランジャ１１の基端１１Ｒからバレル１３の先端１３Ｔまでの不要な電流経路が形成されず、不要共振が抑制される。さらに、本実施形態によれば、プランジャ１１の摺動時のバレル１３の接触部ＣＰとプランジャと１１の接触状態を安定化できる。
【００６２】
《第４の実施形態》
第４の実施形態では、バレルの先端の近傍とプランジャとの間にボール状又はロール状の導電部材を備えたプローブについて示す。
【００６３】
図１０（Ａ）、図１０（Ｂ）は、第４の実施形態に係るプローブのうち、特に、バレル１３の一部、プランジャ１１、コイルスプリング１２の一部及びブッシング２０ｂを示す断面図である。
【００６４】
プランジャ１１は、バレル１３の内部に一部が収まる、径の太い頭部１１ｂと、バレル１３の先端１３Ｔから突出する、径の細い軸部１１ａとを有する。また、プランジャ１１は基端１１Ｒと先端１１Ｔとを有し、基端１１Ｒがバレル１３の内部に位置し、先端１１Ｔがバレル１３から突出する。バレル１３は、プランジャ１１の基端１１Ｒよりもバレル１３の先端１３Ｔ寄りの位置でプランジャ１１の頭部１１ｂに接する接触部ＣＰを有する。具体的には、バレル１３の先端１３Ｔの近傍とプランジャ１１との間に、プランジャ１１の軸方向の移動を阻止せず、かつ電気的に導通させるボール状又はロール状の導電部材６０を備え、バレル１３の接触部ＣＰは導電部材６０を介してプランジャ１１に接触する。その他の構造は第１の実施形態で、図１、図４（Ａ）、図４（Ｂ）に示したプローブと同様である。
【００６５】
図１０（Ａ）は、図４（Ａ）に示したように、プローブが相手方レセプタクルに装着されていない状態での、各部材の位置関係を示す図であり、図１０（Ｂ）は、図４（Ｂ）に示したように、プローブが相手方レセプタクルに装着されている状態での、各部材の位置関係を示す図である。
【００６６】
本実施形態では、バレル１３に対するプランジャ１１の軸方向の移動が容易となり、かつバレル１３の接触部ＣＰとプランジャ１１との接触状態、つまり電気的接続状態、が安定化される。
【００６７】
最後に、上述の実施形態の説明は、すべての点で例示であって、制限的なものではない。当業者にとって変形及び変更が適宜可能である。本発明の範囲は、上述の実施形態ではなく、特許請求の範囲によって示される。さらに、本発明の範囲には、特許請求の範囲内と均等の範囲内での実施形態からの変更が含まれる。
【００６８】
例えば第１〜第３の実施形態では、バレル１３の先端１３Ｔ寄りの位置である接触部ＣＰが、バレル１３の内径の狭められた部分である例を示したが、この内径の狭められた部分は、バレル１３のうち、内径が一定の部分とは別の部品で構成されていてもよい。また、バレル１３の先端１３Ｔ部分である板ばね状部が、バレル１３のうち、内径が一定の部分とは別の部品で構成されていてもよい。つまり、バレル１３は、内径が一定の部品と、内径が狭められた別の部品とが接合されたものであってもよい。
【符号の説明】
【００６９】
ＣＰ，ＣＰ１，ＣＰ２，ＣＰ３…接触部
ＮＣＰ…非接触部
ｈ１，ｈ２，ｈ３，ｈａ，ｈｂ…開口
ＳＬ…スリット
１１…プランジャ
１１ａ…プランジャの軸部
１１ｂ…プランジャの頭部
１１Ｒ…プランジャの基端
１１Ｔ…プランジャの先端
１２…コイルスプリング
１３…バレル
１３Ｔ…バレルの先端
１４…ソケット
２０ａ，２０ｂ…ブッシング
２５…導体ハウジング
２５ａ…導体ハウジングの上部
２５ｂ…導体ハウジングの下部
２６ａ…導体ハウジングの下部２５ｂの先端部
２６ｂ…導体ハウジングの下部２５ｂの突部
６０…導電部材
１０１…プローブ
３０１…相手方レセプタクル
３０３…ケース
３０４…孔
３０５…外導体
３０５ａ…溝
３０５ｂ…外導体３０５の上面
３０６…固定端子
３０７…可動端子
【図１】
2020100859.tif 000003
【図２】
2020100859.tif 000004
【図３】
2020100859.tif 000005
【図４】
2020100859.tif 000006
【図５】
2020100859.tif 000007
【図６】
2020100859.tif 000008
【図７】
2020100859.tif 000009
【図８】
2020100859.tif 000010
【図９】
2020100859.tif 000011
【図１０】
2020100859.tif 000012
【図１１】
2020100859.tif 000013
【手続補正書】
【提出日】令和3年4月14日(2021.4.14)
【手続補正１】
【補正対象書類名】特許請求の範囲
【補正対象項目名】全文
【補正方法】変更
【補正の内容】
【特許請求の範囲】
【請求項１】
信号ケーブルの信号導体に接続されて用いられると共に、相手方レセプタクルの信号導体に当接自在なプローブであって、
前記信号ケーブルの信号導体に電気的に接続される、筒状の導体であるバレルと、
基端及び先端を有し、前記基端が前記バレルの内部に位置し、前記先端が前記バレルから突出して前記相手方レセプタクルに接する、導体であるプランジャと、
前記バレル内に収められて、前記プランジャの基端を前記プランジャの先端方向へ付勢する弾性体と、
を備え、
前記相手方レセプタクルの前記信号導体に接続される際、前記バレルは前記プランジャの基端よりも前記バレルの先端寄りの位置で前記プランジャに接する接触部を有し、
前記バレルが前記プランジャの径が小さい方に接触する、
プローブ。
【請求項２】
信号ケーブルの信号導体に接続されて用いられると共に、相手方レセプタクルの信号導体に当接自在なプローブであって、
前記信号ケーブルの信号導体に電気的に接続される、筒状の導体であるバレルと、
基端及び先端を有し、前記基端が前記バレルの内部に位置し、前記先端が前記バレルから突出して前記相手方レセプタクルに接する、導体であるプランジャと、
前記バレル内に収められて、前記プランジャの基端を前記プランジャの先端方向へ付勢する弾性体と、
を備え、
前記相手方レセプタクルの前記信号導体に接続される際、前記バレルは前記プランジャの基端よりも前記バレルの先端寄りの位置で前記プランジャに接する接触部を有し、
前記プランジャの基端が傾斜面である、
プローブ。
【請求項３】
信号ケーブルの信号導体に接続されて用いられると共に、相手方レセプタクルの信号導体に当接自在なプローブであって、
前記信号ケーブルの信号導体に電気的に接続される、筒状の導体であるバレルと、
基端及び先端を有し、前記基端が前記バレルの内部に位置し、前記先端が前記バレルから突出して前記相手方レセプタクルに接する、導体であるプランジャと、
前記バレル内に収められて、前記プランジャの基端を前記プランジャの先端方向へ付勢する弾性体と、
前記バレルを保持するブッシングと、
を備え、
前記相手方レセプタクルの前記信号導体に接続される際、前記バレルは前記プランジャの基端よりも前記バレルの先端寄りの位置で前記プランジャに接する接触部を有し、
前記バレルの先端が前記ブッシングに接する、
プローブ。
【請求項４】
前記プランジャは、前記バレルの内部に収まる、径の太い頭部と、前記バレルの先端から突出する、径の細い軸部と、を有し、
前記プランジャの前記軸部に前記バレルの接触部が接触する、
請求項１から３のいずれかに記載のプローブ。
【請求項５】
前記バレルは、前記プランジャの頭部と、前記バレルの接触部との間に、前記プランジャに接触しない、非接触部を有する、請求項４に記載のプローブ。
【請求項６】
前記バレルの接触部は、前記バレルの先端又は当該先端の近傍に位置する、
請求項１から５のいずれかに記載のプローブ。
【請求項７】
前記バレルの接触部は、当該バレルの内径が狭められた部分である、
請求項１から６のいずれかに記載のプローブ。
【請求項８】
前記バレルの先端部は板ばね状である、
請求項７に記載のプローブ。
【請求項９】
前記バレルの先端の近傍と前記プランジャとの間に、前記プランジャの軸方向の移動を阻止せず、かつ電気的に導通させるボール状又はロール状の導電部材を備え、
前記バレルの接触部は前記導電部材を介して前記プランジャに接触する、
請求項１から６のいずれかに記載のプローブ。
【請求項１０】
前記プランジャの基端の面は前記プランジャの中心軸に対する直交面から傾斜している、
請求項１から９のいずれかに記載のプローブ。
【請求項１１】
前記プランジャは、前記バレルの接触部よりも前記プランジャの基端寄りの位置に、前記バレルと接触する他の接触部を有する、
請求項１から１０のいずれかに記載のプローブ。
【請求項１２】
前記信号ケーブルは、当該信号ケーブルの信号導体である内導体と、当該内導体を囲む外導体とを有する同軸ケーブルであり、
前記相手方レセプタクルは、当該相手方レセプタクルの信号導体と外導体とを有する同軸レセプタクルであり、
前記同軸ケーブルの外導体が接続される第１外導体接続部と、前記相手方レセプタクルの外導体が接続される第２外導体接続部とを有し、前記バレル、前記プランジャ及び前記弾性体の外部を囲む導体ハウジングを備える、
請求項１から１１のいずれかに記載のプローブ。
【国際調査報告】
2020100859.tif 000014
2020100859.tif 000015
2020100859.tif 000016
2020100859.tif 000017
2020100859.tif 000018
2020100859.tif 000019